(57)【要約】【課題】本発明は、耕作地への運搬及び設置作業を容易、且つ迅速に行うことができ、また、収納時には多くの収納場所を必要としない折り畳み可能な植物栽培用フレームを提供することである。【解決手段】一の骨部材４ａ及び他の骨部材４ｂと、一の間隔保持部材１２ａ及び他の間隔保持部材１２ｂと、４個の連結部材２２とから構成され、骨部材４ａ、４ｂは屈曲部６と、一の脚部８ａ、８ｂ及び他の脚部１０ａ、１０ｂとを有し、間隔保持部材１２ａ、１２ｂは棒状部材１１ａ、１１ｂと、一の連結部１４ａ、１４ｂ及び他の連結部１６ａ、１６ｂとを有し、脚部８ａ等と連結部１４ａ等が連結部材２２に嵌入され、回動自在に連結された植物栽培用フレーム２である。【選択図】  図１
2004267054.tif 000002
【特許請求の範囲】
【請求項１】
屈曲部と、該屈曲部の両側から延出する脚部とを備える一対の骨部材と、
前記両側の脚部の間隔と等しい長さの棒状部材を有し、該棒状部材の両端に前記脚部の周りに回動自在に連結するための連結部を備える一対の間隔保持部材とから構成されたことを特徴とする植物栽培用フレーム。
【請求項２】
一の状態で、一の前記骨部材の一の前記脚部と、他の前記骨部材の他の前記脚部とが重合するように折り畳まれ、
二の状態で、前記一の骨部材の他の脚部が、前記他の骨部材の一の前記脚部と重合するように、更に折り畳み可能であることを特徴とする請求項１に記載の植物栽培用フレーム。
【請求項３】
前記連結部が、前記棒状部材から前記脚部に沿うように折り曲げられた折曲部で構成され、
前記脚部と該折曲部とが、弾性を有するチューブから成る連結部材に嵌入されて連結されたことを特徴とする請求項１に記載の植物栽培用フレーム。
【請求項４】
前記屈曲部がアーチ型であることを特徴とする請求項１又は２に記載の植物栽培用フレーム。
【発明の詳細な説明】
【０００１】
【発明の属する技術分野】
本発明は、園芸、野菜作り等において、ビニール、防虫ネット等を掛けて栽培用トンネルを形成するために使用される植物栽培用フレームに関するものである。
【０００２】
【従来の技術】
園芸、野菜作り等においては、防虫、保温等のために、耕作地にアーチ状の骨部材を並べて骨組みを作り、該骨組みの上からビニールや防虫ネットを掛けて栽培用トンネルを形成する方法が広く用いられている。しかし、骨部材の１本１本を耕作地の土壌中に差し込んで骨組みを作成する作業は非常に労力を要する。また、骨部材は各々、２本の脚部のみで自立しているため、アーチ状を形成する面に水平方向の力が加わると非常に不安定となり、更に、栽培用トンネル自体も十分に満足の行く強度が得られなかった。更にまた、骨組みを撤去する際には、骨部材を１本ずつ回収する必要があり、骨組みを作成する作業の場合と同様に、非常に労力を要する。
【０００３】
そこで、上記の課題を解決するための植物栽培用フレームとして、図９に示すように、２本のアーチ状骨部材４０を間隔的に対向させ、アーチ状骨部材４０の各々の左右の脚部４２に水平部材４４を横架固着した１個の植物栽培用フレーム４６が開示されている（例えば、特許文献１参照。）。植物栽培用フレーム４６は耕作地に単に置くだけで使用できるので、作業効率が良く、且つハウスの強度も向上する。
【０００４】
また、図１０に示すような、植物栽培用フレーム４６と同様の構造を有する植物栽培用フレーム４８が開示されている（例えば、特許文献２参照。）。植物栽培用フレーム４８は、円弧状に形成された第１の線体５０と第２の線体５２が一定の間隔を置いて２本の連結棒５４によってほぼ平行に連結されており、線体５０、５２の両端部には止め具５６が取り付けられている。植物栽培用フレーム４８も耕作地に置くだけで使用でき、且つ耕作地の素地の硬さ及び軟らかさに影響されず使用することができる点で優れている。
【０００５】
【特許文献１】
実用新案登録第３０５６１６０号公報
【特許文献２】
実開昭５４−５７１５３号公報
【０００６】
【発明が解決しようとする課題】
しかし、植物栽培用フレーム４６及び４８は予め一体構造となっているため、植物栽培用フレーム４６等の設置は非常に簡単で作業効率が良いが、耕作地への植物栽培用フレーム４６等の運搬時には作業効率が悪く、また、収納時には多くの収納場所を必要とするため、植物栽培用フレーム４６等の数が多くなるに連れて、より多くの収納場所が必要になる。
【０００７】
そこで、本発明は、耕作地への運搬及び設置作業を容易、且つ迅速に行うことができ、また、収納時には多くの収納場所を必要としない植物栽培用フレームを提供することを目的とする。
【０００８】
【課題を解決するための手段】
本発明の発明者は、上記の問題を解決するために鋭意検討し、骨部材と間隔保持部材とから構成される枠体において、該骨部材の脚部と該間隔保持部材の端部を回動自在に連結することにより、該枠体が折り畳み可能となる構造を見出し、耕作地への運搬及び設置作業の効率化が図れると共に、収納時には収納場所の省スペース化が図れる本発明を完成した。
【０００９】
即ち、本発明の要旨とするところは、屈曲部と、該屈曲部の両側から延出する脚部とを備える一対の骨部材と、前記両側の脚部の間隔と等しい長さの棒状部材を有し、該棒状部材の両端に前記脚部の周りに回動自在に連結するための連結部を備える一対の間隔保持部材とから構成された植物栽培用フレームである。ここで、「等しい」とは、完全に等しいことのみを意味するものではなく、略等しい範囲であれば良く、若干の長短を含むことをも意味する。なお、本明細書中における「等しい」の用語は、いずれも同様の意味に解する。
【００１０】
また、一の状態で、一の前記骨部材の一の前記脚部と、他の前記骨部材の他の前記脚部とが重合するように折り畳まれ、二の状態で、前記一の骨部材の他の脚部が、前記他の骨部材の一の前記脚部と重合するように、更に折り畳み可能である植物栽培用フレームである。
【００１１】
更に、前記連結部が、前記間隔保持部材から前記脚部に沿うように折り曲げられた折曲部で構成され、前記脚部と該折曲部とが、弾性を有するチューブから成る連結部材に嵌入されて連結された植物栽培用フレームである。
【００１２】
また、前記屈曲部がアーチ型である植物栽培用フレームである。
【００１３】
【発明の実施の形態】
以下、本発明について、図面に基づいて詳しく説明するが、本発明の態様は以下に示したものに限定されない。
【００１４】
図１に、本発明の植物栽培用フレームの一態様を示す。植物栽培用フレーム２は、一の骨部材４ａ及び他の骨部材４ｂと、一の間隔保持部材１２ａ及び他の間隔保持部材１２ｂと、４個の連結部材２２とから構成されている。骨部材４ａは、上方に凸に屈曲する屈曲部６と、屈曲部６の両側それぞれから下方に延出する一の脚部８ａ及び他の脚部１０ａとを有し、骨部材４ｂも同様に屈曲部６、一の脚部８ｂ及び他の脚部１０ｂとを有する。間隔保持部材１２ａ、１２ｂは、骨部材４ａの脚部８ａ、１０ａ及び骨部材４ｂの脚部８ｂ、１０ｂの間隔Ｗと等しい長さＬを有する棒状部材１１ａ、１１ｂと、棒状部材１１ａ、１１ｂの両端に設けられた一の連結部１４ａ、１４ｂ及び他の連結部１６ａ、１６ｂとを有する。また、連結部１４ａ、１４ｂ及び連結部１６ａ、１６ｂは、それぞれ棒状部材１１ａ、１１ｂから脚部８ａ、１０ａ、８ｂ、１０ｂに沿うように折り曲げられた一の折曲部２４ａ、２４ｂ及び他の折曲部２６ａ、２６ｂで構成されている（図２（ａ））。更に、連結部材２２は、弾性を有するチューブから成る。
【００１５】
上記の各部材から構成された植物栽培用フレーム２は、骨部材４ａ、４ｂの脚部８ａ等と、間隔保持部材１２ａ、１２ｂの折曲部２４ａ等が、それぞれ１の連結部材２２に嵌入されて回動自在に連結されている。具体的には、骨部材４ａの脚部８ａと間隔保持部材１２ａの折曲部２４ａとが共に連結部材２２に嵌入され、回動自在に連結されており（図２（ｂ））、以下同様に、脚部１０ａと折曲部２４ｂ、脚部８ｂと折曲部２６ａ、脚部１０ｂと折曲部２６ｂとがそれぞれ連結部材２２に嵌入され、回動自在に連結されている。
【００１６】
従って、植物栽培用フレーム２は、連結部１４ａ、１４ｂ、１６ａ、１６ｂを介して折り畳むことが可能となる。図３に示すように、一の状態で、骨部材４ａの脚部８ａと、骨部材４ｂの脚部１０ｂとが重合するように折り畳まれる。この時、骨部材４ａ、４ｂ及び間隔保持部材１２ａ、１２ｂは、略一列に並んだ状態となる。次いで、図４に示すように、二の状態で、骨部材４ａの脚部１０ａと、骨部材４ｂの脚部８ｂとが重合するように更に折り畳まれて、全体としては、骨部材４ａ、４ｂ及び間隔保持部材１２ａ、１２ｂがそれぞれ重合した状態となる。つまり、骨部材４ａの脚部８ａ、１０ａ及び骨部材４ｂの脚部８ｂ、１０ｂの間隔Ｗと、間隔保持部材１２ａ、１２ｂの棒状部材１１ａ、１１ｂの長さＬが等しいため、骨部材４ａ、４ｂが略一列に並んだ一の状態から、骨部材４ａ、４ｂが重合した二の状態へ更に折り畳むことが可能となる。
【００１７】
また、連結部材２２の径は、脚部８ａと折曲部２４ａとを共に嵌入可能な最小限の径とすることにより、連結部材２２内で各部材間に締め付け抵抗が生じ、植物栽培用フレーム２の設置時及び収納時における任意の形態を維持することが可能となる。更に、図２（ｂ）に示したように、脚部８ａ等に切欠き段差２８を設けることによって、折曲部２４ａ等が上下方向に移動することを防止でき、脚部８ａ等と折曲部２４ａ等との連結位置を固定することが可能となる。
【００１８】
以上、本発明の一態様である植物栽培用フレーム２について、図面に基づいて詳述したが、上記の構成からなる植物栽培用フレーム２は、２本の骨部材４ａ、４ｂと２本の間隔保持部材１２ａ、１２ｂが、予め連結部材２２によって連結されているため、耕作地への設置作業を迅速に行うことが可能である。例えば、図５（ａ）に示すような植物栽培用ハウス３０を設営する場合、植物栽培用フレーム２を一定間隔で載置し、その上から防虫ネットやビニール等の被覆部材３２で覆うことによって、簡単、且つ迅速に植物栽培用ハウス３０を設営することができる。なお、上述の通り、連結部材２２内における各部材間の締め付け抵抗によって、植物栽培用フレーム２は設置形態を維持することができるが、耕作地の土壌３４に脚部８ａ等が埋設されることによって、設置形態はより安定し、植物栽培用ハウス３０の強度も増すこととなる。
【００１９】
また、植物栽培用フレーム２が耕作地に設置された際、間隔保持部材１２ａ、１２ｂは、図５（ｂ）に示すように、耕作地の土壌３４に対して略水平に載置されることとなり、土壌３４が軟弱な場合には、間隔保持部材１２ａ、１２ｂの棒状部材１１ａ、１１ｂが植物栽培用フレーム２の土壌３４中への沈下を防止する効果が得られる。
【００２０】
更に、脚部８ａ等と、折曲部２４ａ等から成る連結部１４ａ等がそれぞれ連結部材２２に嵌入され、回動自在に連結されているため、植物栽培用フレーム２を収納する際には、植物栽培用フレーム２を、連結部１４ａ等を介して折り畳むことにより、収納場所の省スペース化を図ることが可能である。また、耕作地への運搬時においても、植物栽培用フレーム２が折り畳み可能な構造であることによって、運搬効率の向上を図ることが可能となる。
【００２１】
なお、植物栽培用フレーム２の態様は上記のものに限定されない。例えば、折曲部２４ａ等の連結部材２２への嵌入方向は、図２（ｂ）に示した下側からに限定されず、連結部材２２に対して上側から折曲部２４ａ等を嵌入しても良い。
【００２２】
また、連結部材２２の素材も特に限定されるものではなく、ポリ塩化ビニル、ポリエチレン、ポリプロピレン等から成る樹脂製チューブであっても良く、また、ブタジエンゴム、シリコンゴム等から成るゴムチューブであっても良い。
【００２３】
図６に本発明の他の態様を示す。図６（ａ）に示した植物栽培用フレーム３は、２本の骨部材４ａ、４ｂと、２本の間隔保持部材１２ａ、１２ｂとから構成されている。間隔保持部材１２ａ、１２ｂにおける棒状部材１１ａ、１１ｂの両端には、環状の一の連結部１４ａ、１４ｂ及び他の連結部１６ａ、１６ｂが設けられている。
【００２４】
植物栽培用フレーム３においても、骨部材４ａ、４ｂの脚部８ａ等と、間隔保持部材１２ａ、１２ｂの連結部１４ａ等が、脚部８ａ等の周りに回動自在に連結されている。具体的には、骨部材４ａの脚部８ａと間隔保持部材１２ａの連結部１４ａが、脚部８ａの周りに回動自在に連結され（図６（ｂ））、以下同様に、脚部１０ａと連結部１４ｂ、脚部８ｂと連結部１６ａ、脚部１０ｂと連結部１６ｂが、それぞれ脚部１０ａ、８ｂ、及び１０ｂの周りに回動自在に連結されている。なお、図６（ｂ）に示すように、脚部８ａ等に凹部１８を設けることによって、環状の連結部１４ａ等の抜け出しを防止することができる。
【００２５】
上記の構成から成る植物栽培用フレーム３は、植物栽培用フレーム２と同様に、連結部１４ａ、１４ｂ、１６ａ、１６ｂを介して折り畳むことが可能となり（図３及び図４参照）、植物栽培用フレーム３を折り畳むことによって、収納時における収納場所の省スペース化、及び耕作地への運搬時における運搬効率の向上を図ることができる。
【００２６】
以上、本発明の植物栽培用フレームの態様について説明したが、本発明はその趣旨を逸脱しない範囲で、当業者の知識に基づき種々の改良、修正、変形を加えた態様で実施し得るものであり、これらの態様はいずれも本発明の範囲に属するものである。
【００２７】
例えば、本発明の植物栽培用フレーム２、３を構成する骨部材４ａ等及び間隔保持部材１２ａ等の本数は、各図に示した２本に限定されるものではない。図７に示すように、骨部材４を３本とした場合、各骨部材４の脚部８及び１０を４本の間隔保持部材１２の連結部１４及び１６によって連結することにより、植物栽培用フレーム５を形成することができる。この時、脚部８及び１０と連結部１４及び１６を、脚部８及び１０の周りに回動自在に連結することによって、植物栽培用フレーム２等と同様に、連結部１４及び１６を介して折り畳むことが可能となる。なお、間隔保持部材１２の連結部１４及び１６において連結部材２２を必要とする構造の場合には、骨部材４及び間隔保持部材１２の本数に応じた連結部材２２の個数が任意に設定されることとなる。
【００２８】
また、本発明の植物栽培用フレーム２等における骨部材４ａ等及び間隔保持部材１２ａ等の素材は金属製、樹脂製等、特に限定されるものではない。
【００２９】
更に、骨部材４ａ等における屈曲部６の形状は、図示したアーチ型に限定されるものではなく、屈曲部６の高さ、脚部８ａ等及び１０ａ等の間隔Ｗについても、耕作地において栽培される植物の種類等に応じて任意に設定することが可能である。
【００３０】
また、間隔保持部材１２ａ等の形状も特に限定されるものではなく、例えば、図８に示すように、間隔保持部材１２の折曲部２４及び２６から反対側に突出する突出部３６ａや（図８（ａ））、棒状部材１１の長手方向に対して直角に突出する突出部３６ｂ（同図（ｂ））等が設けられても良い。突出部３６ａ及び３６ｂは、植物栽培用フレーム２を耕作地に設置する際、土壌中に埋設されるため、植物栽培用フレーム２の脚部８ａ等のみを土壌中に埋設した場合に比べて、植物栽培用フレーム２の安定感が増す効果が得られる。
【００３１】
更にまた、連結部１４ａ等の形状及び連結態様も特に限定されるものではなく、脚部８ａ等と連結部１４ａ等が、脚部８ａ等の周りに回動自在に連結可能な構造であれば良い。
【００３２】
【発明の効果】
本発明の植物栽培用フレームは、骨部材と間隔保持部材とが予め回動自在に連結された構造であるため、植物栽培用フレームの形状変更が容易で、耕作地への設置作業を簡単、且つ迅速に行うことができ、栽培用ハウスの設営の効率化を図ることが可能となる。
【００３３】
また、本発明の植物栽培用フレームは、連結部を介して折り畳むことが可能な構造であるため、植物栽培用フレームを折り畳むことによって、耕作地への運搬効率が向上すると共に、収納時には多くの収納場所を必要とせず、収納場所の省スペース化を図ることができる。
【図面の簡単な説明】
【図１】植物栽培用フレームの一態様を示した斜視図である。
【図２】図２（ａ）は間隔保持部材の模式図、同図（ｂ）は骨部材の脚部と間隔保持部材の連結部の連結態様を示した要部拡大模式図である。
【図３】植物栽培用フレームを折り畳んだ一の状態を示した模式図である。
【図４】植物栽培用フレームを折り畳んだ二の状態を示した模式図である。
【図５】図５（ａ）は植物栽培用フレームの使用状態を示した斜視図、同図（ｂ）は植物栽培用フレームの側面図である。
【図６】図６（ａ）は植物栽培用フレームの他の態様を示した斜視図、同図（ｂ）は骨部材の脚部と間隔保持部材の連結部の連結態様を示した要部拡大模式図である。
【図７】植物栽培用フレームの更に他の態様を示した斜視図である。
【図８】間隔保持部材の他の態様を示した正面図である。
【図９】従来の植物栽培用フレームの一例を示した斜視図である。
【図１０】従来の植物栽培用フレームの他の一例を示した斜視図である。
【符号の説明】
２、３、５、４６、４８：植物栽培用フレーム
４、４ａ、４ｂ：骨部材
６：屈曲部
８、８ａ、８ｂ、１０、１０ａ、１０ｂ：脚部
１１、１１ａ、１１ｂ：棒状部材
１２、１２ａ、１２ｂ：間隔保持部材
１４、１４ａ、１４ｂ、１６、１６ａ、１６ｂ：連結部
１８：凹部
２２：連結部材
２４、２４ａ、２４ｂ、２６、２６ａ、２６ｂ：折曲部
２８：切欠き段差
３０：植物栽培用ハウス
３２：被覆部材
３４：土壌
３６ａ、３６ｂ：突出部
４０：アーチ状骨部材
４２：脚部
４４：水平部材
５０：第１の線体
５２：第２の線体
５４：連結棒
５６：止め具
Ｌ：棒状部材の長さ
Ｗ：骨部材の両側の脚部の間隔
【図１】
2004267054.tif 000003
【図２】
2004267054.tif 000004
【図３】
2004267054.tif 000005
【図４】
2004267054.tif 000006
【図５】
2004267054.tif 000007
【図６】
2004267054.tif 000008
【図７】
2004267054.tif 000009
【図８】
2004267054.tif 000010
【図９】
2004267054.tif 000011
【図１０】
2004267054.tif 000012